(57)【特許請求の範囲】
【請求項１】
使用できる文字数の異なる複数の文字通信方式で文字通信を行なうことが可能な携帯通信装置において、
文字情報を入力するための入力手段と、
この入力手段で入力された文字情報の文字数により文字通信方式を判別する判別手段と、
この判別手段で判別した文字通信方式に従って上記入力手段で入力した文字情報を送信させる送信制御手段とを具備したことを特徴とする携帯通信装置。
【請求項２】
送信先のアドレス毎に送信可能な文字通信方式を記憶する記憶手段と、
上記判別手段で判別した文字通信方式に対応するアドレスを上記記憶手段より検索する検索手段と、
この検索手段で得たアドレスから１つを選択する選択手段とをさらに具備し、上記送信制御手段は上記選択手段で選択したアドレスを用いて文字情報を送信させることを特徴とする請求項１記載の携帯通信装置。
【請求項３】
送信先のアドレス毎に送信可能な文字通信方式を記憶する記憶手段と、
上記記憶手段より任意のアドレスを選択する選択手段と、
この選択手段で選択したアドレスを用いて上記送信制御手段により文字情報を送信させ、
その送信が成功した際に、上記記憶手段を参照して送信したアドレスに記憶されている文字通信方式と送信した文字情報の文字通信方式とが異なっている場合には、上記記憶手段の送信したアドレスに記憶されている文字通信方式に送信した文字情報の文字通信方式を追加記憶させる記憶更新手段と
をさらに具備したことを特徴とする請求項１記載の携帯通信装置。
【請求項４】
使用できる文字数の異なる複数の文字通信方式で文字通信を行なうことが可能な携帯通信装置において、
通信先のアドレス毎に通信可能な文字通信方式を記憶する記憶手段と、
文字情報の受信に際して、この文字情報を送信した先のアドレスに対応して記憶されている文字通信方式を読出す読出手段と、
この読出手段で得た文字通信方式と受信した文字情報の文字通信方式が異なっていた場合に、上記記憶手段の該当するアドレスに記憶されている文字通信方式に受信した文字情報の文字通信方式を追加記憶させる記憶更新手段とを具備したことを特徴とする携帯通信装置。
【請求項５】
使用可能な文字数の異なる複数の文字通信方式を有する携帯通信装置に用いられる記憶媒体であって、
文字情報を入力する入力工程と、
この入力処理で入力した文字情報の文字数により文字通信方式を判別する判別工程と、
この判別工程で判別した文字通信方式に従って上記入力工程で入力した文字情報を送信する送信工程とを実行するコンピュータプログラムを記憶したことを特徴とする記憶媒体。
【請求項６】
使用できる文字数の異なる複数の文字通信方式を有する携帯通信装置に用いられる記憶媒体であって、
文字情報の受信に際して、通信先のアドレス毎に通信可能な文字通信方式を記憶したメモリを参照し、文字情報を送信した先のアドレスに対応して記憶されている文字通信方式を読出す読出工程と、
この読出工程で得た文字通信方式と受信した文字情報の文字通信方式が異なっていた場合に、上記メモリの該当するアドレスに記憶されている文字通信方式に受信した文字情報の文字通信方式を追加記憶させる記憶更新工程とを実行するコンピュータプログラムを記憶したことを特徴とする記憶媒体。
【発明の詳細な説明】
【０００１】
【発明の属する技術分野】
本発明は、複数の方式で文字通信を行なう携帯通信装置、及び上記携帯通信装置に用いられる記憶媒体に関する。
【０００２】
【従来の技術】
近時、ＰＨＳ（Ｐｅｒｓｏｎａｌ  Ｈａｎｄｙｐｈｏｎｅ  Ｓｙｓｔｅｍ：簡易型コードレス電話システム）等の携帯通信端末機において、通常の音声による通話のみならず、文字データによる簡単なメッセージの送受信も可能としたサービスが広く普及している。
【０００３】
この種の文字通信サービスにあっては、同一のサービス業者でも、使用できる文字種や文字数が異なる複数の文字通信方式が存在しており、送信側と受信側とで異なる文字通信方式が異なる場合には文字通信を行なうことはできない。
【０００４】
【発明が解決しようとする課題】
上述した如く文字通信サービスの異なる文字通信方式間では、文字通信を行なうことができない。そのため、例えば複数の文字通信方式に対応した端末機を使用するユーザは、送信相手がどの方式に対応しているのかを事前に確認し、対応している方式を選択する操作を行なった後に、その方式に応じた文字データのメッセージを作成し、送信操作を行なうこととなる。したがって、文字データを入力するための操作に加えて送信相手の文字通信方式を選択するための操作を行わなくてはならず、その操作が煩雑であるという不具合があった。
【０００５】
本発明は上記のような実情に鑑みてなされたもので、その目的とするところは、必要な操作を極力簡略化しながら、複数の文字通信方式に対応して通信相手に対応した文字通信方式での文字情報の送受信が可能な携帯通信装置、及び記憶媒体を提供することにある。
【０００６】
【課題を解決するための手段】
請求項１記載の発明は、使用できる文字数の異なる複数の文字通信方式で文字通信を行なうことが可能な携帯通信装置において、文字情報を入力するための入力手段と、この入力手段で入力された文字情報の文字数により文字通信方式を判別する判別手段と、この判別手段で判別した文字通信方式に従って上記入力手段で入力した文字情報を送信させる送信制御手段とを具備したことを特徴とする。
【０００７】
このような構成とすれば、入力した文字情報の文字数に対応する文字通信方式で送信を行なうことができるため、文字通信方式を選択するための操作を簡略化することができる。
【０００８】
請求項２記載の発明は、上記請求項１記載の発明において、送信先のアドレス毎に送信可能な文字通信方式を記憶する記憶手段と、上記判別手段で判別した文字通信方式に対応するアドレスを上記記憶手段より検索する検索手段と、この検索手段で得たアドレスから１つを選択する選択手段とをさらに具備し、上記送信制御手段は上記選択手段で選択したアドレスを用いて文字情報を送信させることを特徴とする。
【０００９】
このような構成とすれば、上記請求項１記載の発明の作用に加えて、判別した文字通信方式に対応するアドレスの中から任意のものを選択するだけで送信先の指定を行なうことができるので、文字情報の送信に要する操作をより簡略化することができる。
【００１０】
請求項３記載の発明は、上記請求項１記載の発明において、送信先のアドレス毎に送信可能な文字通信方式を記憶する記憶手段と、上記記憶手段より任意のアドレスを選択する選択手段と、この選択手段で選択したアドレスを用いて上記送信制御手段により文字情報を送信させ、その送信が成功した際に、上記記憶手段を参照して送信したアドレスに記憶されている文字通信方式と送信した文字情報の文字通信方式とが異なっている場合には、上記記憶手段の送信したアドレスに記憶されている文字通信方式に送信した文字情報の文字通信方式を追加記憶させる記憶更新手段とをさらに具備したことを特徴とする。
【００１１】
このような構成とすれば、上記請求項１記載の発明の作用に加えて、送信した文字情報の文字通信方式が記憶手段に記憶されていない際でも、その送信が成功した場合には送信先が新たにその文字通信方式での通信が可能となったこととなるので、記憶手段の内容を自動的に更新記憶させることで、次の通信時に選択する文字通信方式の幅を広げることができる。
【００１６】
請求項４記載の発明は、使用できる文字数の異なる複数の文字通信方式で文字通信を行なうことが可能な携帯通信装置において、通信先のアドレス毎に通信可能な文字通信方式を記憶する記憶手段と、文字情報の受信に際して、この文字情報を送信した先のアドレスに対応して記憶されている文字通信方式を読出す読出手段と、この読出手段で得た文字通信方式と受信した文字情報の文字通信方式が異なっていた場合に、上記記憶手段の該当するアドレスに記憶されている文字通信方式に受信した文字情報の文字通信方式を追加記憶させる記憶更新手段とを具備したことを特徴とする。
【００１７】
このような構成とすれば、受信した文字情報の文字通信方式がその送信者のアドレスに対応して記憶されている文字通信方式と異なる際でも、受信が成功した場合には送信者が新たにその文字通信方式での通信が可能となったこととなるので、記憶手段の内容を自動的に更新記憶させることで、次にその送信者へ文字情報を送信する時に選択できる文字通信方式の幅を広げることができる。
【００２４】
請求項５記載の発明は、使用可能な文字数の異なる複数の文字通信方式を有する携帯通信装置に用いられる記憶媒体であって、文字情報を入力する入力工程と、この入力処理で入力した文字情報の文字数により文字通信方式を判別する判別工程と、この判別工程で判別した文字通信方式に従って上記入力工程で入力した文字情報を送信する送信工程とを実行するコンピュータプログラムを記憶したことを特徴とする。
【００２５】
このような記憶内容とすれば、入力した文字情報の文字数に対応する文字通信方式で送信を行なわせることができるため、文字通信方式を選択するための操作を簡略化することができる。
【００２８】
請求項６記載の発明は、使用できる文字数の異なる複数の文字通信方式を有する携帯通信装置に用いられる記憶媒体であって、文字情報の受信に際して、通信先のアドレス毎に通信可能な文字通信方式を記憶したメモリを参照し、文字情報を送信した先のアドレスに対応して記憶されている文字通信方式を読出す読出工程と、この読出工程で得た文字通信方式と受信した文字情報の文字通信方式が異なっていた場合に、上記メモリの該当するアドレスに記憶されている文字通信方式に受信した文字情報の文字通信方式を追加記憶させる記憶更新工程とを実行するコンピュータプログラムを記憶したことを特徴とする。
【００２９】
このような記憶内容とすれば、受信した文字情報の文字通信方式がその送信者のアドレスに対応して記憶されている文字通信方式と異なる際でも、受信が成功した場合には送信者が新たにその文字通信方式での通信が可能となったこととなるので、記憶手段の内容を自動的に更新記憶させることで、次にその送信者へ文字情報を送信する時に選択できる文字通信方式の幅を広げることができる。
【００３０】
【発明の実施の形態】
以下本発明を文字通信機能を有するＰＨＳ端末機に適用した場合の実施の一形態について図面を参照して説明する。
【００３１】
図１はその回路構成を示すもので、１１はアンテナであり、このアンテナ１１に送受信部１２を接続している。この送受信部１２は周波数変換部とモデムで構成されるもので、周波数変換部の受信側では、アンテナ１１から入力された信号が送信／受信を振り分けるアンテナスイッチを介して入力され、ＰＬＬシンセサイザから出力される所定周波数の局部発振信号と混合することにより、１．９ＧＨｚ帯から１ＭＨｚ付近のＩＦ信号に周波数変換する。
【００３２】
一方、送信側では、モデムから入力されたπ／４シフトＱＰＳＫの変調波をＰＬＬシンセサイザから出力される所定周波数の局部発振信号と混合することにより１．９ＧＨｚ帯に周波数変換し、上記アンテナスイッチを介してアンテナ１１より輻射するようにしている。
【００３３】
また、モデムの受信側では、周波数変換部からのＩＦ信号が復調されＩＱデータに分離され、データ列になって通信制御部１３に転送するようにしている。一方、送信側では、通信制御部１３から転送されてきたデータからＩＱデータを生成し、π／４シフトＱＰＳＫに変調して周波数変換部に出力する。
【００３４】
そして、この送受信部１２に、通信制御部１３、音声処理部１４を順に接続し、この音声処理部１４に受話側のスピーカ１５及び送話側のマイクロフォン１６を接続している。
【００３５】
ここで、通信制御部１３はフレーム同期及びスロットのデータフォーマット処理を行なうもので、受信側では、送受信部１２のモデムから送られてくる受信データから所定タイミングで１スロット分のデータを取出し、このデータの中からユニークワード（同期信号）を抽出してフレーム同期をとり、且つ制御データ部と音声データ部または通信データ部のスクランブルなどを解除した後、制御データ及び通信データ部は後述する制御部１７に送り、音声データは音声処理部１４に転送する。
【００３６】
一方、送信側では、音声処理部１４から送られてくる音声データまたは制御部１７から送られてくる通信データ部に制御データなどを付加し、スクランブルなどをかけた後にユニークワードなどを付加して１スロット分の送信データを作成し、所定タイミングでフレーム内の所定スロットに挿入して送受信部１２のモデムに送出する。
【００３７】
音声処理部１４は、スピーチコーディック及びＰＣＭコーディックにより構成され、このうちスピーチコーディックは、デジタルデータの圧縮／伸長処理を行なうもので、受信側では、通信制御部１３から送られてきたＡＤＰＣＭ音声信号（４ビット×８ＫＨｚ＝３２Ｋｂｐｓ）をＰＣＭ音声信号（８ビット×８ＫＨｚ＝６４Ｋｂｐｓ）に復号化することにより伸長してＰＣＭコーディックに出力する。一方、送信側では、ＰＣＭコーディックから送られてきたＰＣＭ音声信号をＡＤＰＣＭ音声信号に符号化することにより圧縮して通信制御部１３に出力する。
【００３８】
また、ＰＣＭコーディックは、アナログ／デジタル変換処理を行なうもので、受信側では、スピーチコーディックから送られてくるＰＣＭ音声信号をＤ／Ａ変換してアナログ音声信号をスピーカ１５に出力する。一方、送信側では、マイクロフォン１６から入力されたアナログ音声信号をＡ／Ｄ変換してＰＣＭ音声信号を得、これをスピーチコーディックに出力する。
【００３９】
そして、これら送受信部１２、通信制御部１３、及び音声処理部１４には、制御部１７を接続し、この制御部１７に記憶装置１８、ＲＡＭ１９、キー入力部２０、表示部２１、及びタッチパネル２２を接続している。
【００４０】
ここで制御部１７は、ＣＰＵ等で構成され、所定のプロトコルに基づいて装置全体を制御するもので、記憶装置１８は文字通信時の制御や通話データの送受信を含む制御部１７での制御動作プログラムや文字コードに対応した文字パターンデータ等を記憶した記憶媒体１８ａを有する。
【００４１】
またＲＡＭ１９は、制御部１７での制御により取扱われる文字通信データを含むデータを一時記憶する送信バッファ、受信バッファ、各種状態フラグをセットするためのフラグレジスタ、各種カウンタ等を有すると共に、図２に示すようなアドレス帳メモリ１９ａを有する。
【００４２】
すなわち、図２に示すアドレス帳メモリ１９ａは、短縮番号、名前、アドレス（電話番号）、及び対応文字通信形式を１組のデータとして複数組のデータを予め記憶しておくものである。
【００４３】
ここで、上記対応文字通信方式としては、例えばひらがな、カタカナ及び数字記号のみで最大２０文字まで送信可能な文字通信方式Ａと、ひらがな、カタカナ、数字記号に加えて漢字も最大１０００文字まで送信可能な文字通信方式Ｂとの２つの方式を採用するものとする。
【００４４】
この場合、文字通信方式Ａは文字種及び文字数が制限されるものの、通信に要するコストが低く、普及度が高いものとし、反対に図示する如く文字通信方式Ｂは文字種及び文字数の自由動は高いものの、通信に要するコストが高く、対応する端末機が少なく普及度は低いものとする。
【００４５】
このアドレス帳メモリ１９ａの記憶内容は、電源スイッチのオン／オフに関係なく常時電源バックアップされる。
【００４６】
なお、上記記憶装置１８の有する記憶媒体１８ａは、磁気的、光学的な記憶媒体、あるいは半導体メモリで構成されている。この記憶媒体１８ａは記憶装置１８に固定的に設けたもの、もしくは着脱自在に装着するものである。
【００４７】
また、記憶媒体１８ａに記憶するプログラム、データ等は、通信回線等を介して接続された他の機器から受信して記憶する構成にしてもよく、さらに、通信回線等を介して接続された他の機器側に記憶媒体１８ａを設け、この記憶媒体１８ａに記憶されているプログラム、データ等を通信回線を介して使用する構成にしてもよい。
【００４８】
キー入力部２０は各機能を設定するためのキー操作信号を制御部１４に入力するための、ダイヤルキー、「通信」キー、「切」キー、カーソルキー等を有するものである。
【００４９】
表示部２１は例えばドットマトリクスタイプの液晶表示パネルとその駆動回路で構成され、受信した文字データ、送信する文字データを入力するためのキーボード、各種制御のための入力データ及び結果などを表示するものである。
【００５０】
タッチパネル２２は、透明なフィルム状で、上記表示部２１上に一体にして構成されるものであって、使用者が手指あるいはここでは図示しない専用のスタイラスペンで表示画面位置に応じたタッチ操作を行なうことにより、操作した位置の座標データを制御部１７に送出することで、種々の文字入力等を行なう。
【００５１】
次に上記実施の形態の動作について説明する。
【００５２】
図３は文字データを入力してメッセージを作成し、文字通信機能により送信を行なう場合の処理内容を示すもので、その制御は主として制御部１７が行なう。
【００５３】
その当初には、まず文字データの送信を開始した時点で先に文字入力を行なうか否かを判断する（ステップＡ０１）。これは、例えば表示部２１で「文字入力が先？／あて先指定が先？」のようなガイドメッセージを表示させた上でタッチパネル２２によりそのいずれかが操作されるのを検出することで判断する。
【００５４】
ここで、先に文字入力を行なう旨の操作がなされ、これを判断した場合には、続いて表示部２１にキーボードを表示させてタッチパネル２２での入力を順次受付けることにより文字データの入力を実行し、入力終了の指示がなされた時点で文字データの入力を停止する（ステップＡ０２）。
【００５５】
こうして文字データの入力を終えると、次にその入力された文字データに漢字が混じっているか否か、あるいは全体で２１文字以上であるか否かを続けて判断することで（ステップＡ０３，Ａ０４）、入力された文字データが文字通信方式Ａと文字通信方式Ｂのいずれの通信方式が最適かを判別する。
【００５６】
入力された文字データに漢字が混じっておらず、且つ２０文字以内であると判断した場合には、入力された文字データは文字通信方式Ａに対応するものと判別し、この文字通信方式Ａに基づいた送信データを作成する（ステップＡ０５）。
【００５７】
また、入力された文字データに漢字が混じっているか、または２１文字以上であると判断した場合には、入力された文字データは文字通信方式Ｂに対応するものと判別し、この文字通信方式Ｂに基づいた送信データを作成する（ステップＡ０６）。
【００５８】
図４はこのとき作成される文字データのデータフォーマットを例示するものである。同図に示す如くこのデータフォーマットにおいては、データの先頭に配置されたヘッダＳ１に続いて、このデータが音声データではなく文字テキストコードデータであることを示すテキスト識別コードＳ２が付加され、さらに具体的に文字データを構成する実データＳ３が付加される。この実データＳ３は可変長データであり、その先頭位置に文字通信方式に対応した方式識別コードＳ３ａが、また末尾にエンドコードＳ３ｂがそれぞれ付加設定される。なお、それぞれの通信方式は、上記データフォーマットを通信路を接続した後に送付しても良いし、通信路を接続する前に呼設定メッセージのサブアドレスあるいはＵＵＩ（ユーザ・ユーザ・情報）等を使用して送付しても良い。
【００５９】
こうして、送信する文字データの作成を終えた時点で、次に上記判別した文字通信方式により上記ＲＡＭ１９のアドレス帳メモリ１９ａを検索し（ステップＡ０７）、該当する文字通信方式が設定されているアドレスの名前を表示部２１に一覧表示する（ステップＡ０８）。
【００６０】
これに対してタッチパネル２２により一覧表示された名前の中から１つを選択指定するような操作がなされると（ステップＡ０９）、その指定された名前に対応するアドレスを用いて上記作成した文字データの送信を行ない（ステップＡ１０）、以上でこの処理を終了する。
【００６１】
また、上記ステップＡ０１で文字入力より先に送信先のアドレスを指定する旨の操作がなされ、これを判断した場合には、続いて表示部２１にキーボードを表示させてタッチパネル２２での入力を順次受付けることにより送信先のアドレスの名前を指定させる（ステップＡ１１）。
【００６２】
そして、アドレスの名前が入力されると、次いでその名前によりＲＡＭ１９のアドレス帳メモリ１９ａを検索し（ステップＡ１２）、対応するアドレスの文字通信方式を読出す（ステップＡ１３）。
【００６３】
ここで、読出した文字通信方式が１つのみであった場合にはその旨を表わすガイドメッセージ、例えば文字通信方式Ａであれば「かな文字と数字記号で２０文字以内のメッセージを作成してください」のような表示を行なって直ちに送信メッセージのための文字データの入力を促す。
【００６４】
また、読出した文字通信方式が２つあった場合には、そのいずれの方式でメッセージを作成するのかを選択させるためのガイドメッセージ、例えば「「かな文字と数字記号で２０文字以内」／「漢字も併せて１０００文字以内」のどちらの方式でメッセージを作成しますか？」のような表示を行なっていずれか最適な方式を選択させ、選択がなされた時点でその選択された文字通信方式による送信メッセージのための文字データの入力を促すガイドメッセージを表示させる。
【００６５】
そして、表示部２１にキーボードを表示させてタッチパネル２２での入力を順次受付けることにより文字データの入力を実行し、入力終了の指示がなされた時点で文字データの入力を停止する（ステップＡ１５）。
【００６６】
こうして文字データの入力を終えると、入力された文字データにより対応する文字通信方式に基づいた上記図４で示したようなデータフォーマットの送信データを作成し、上記指定された名前に対応するアドレスを用いて作成した文字データの送信を行なって（ステップＡ１０）、以上でこの処理を終了する。
【００６７】
このように、送信先の入力よりも、送信するメッセージを構成する文字データを先に入力する場合には、実際に入力した文字データの内容に対応する文字通信方式を自動的に判別し、判別した文字通信方式に対応する送信先の中から任意のものを選択するだけでそのまま送信動作に移行することができるため、文字通信方式を選択するための操作、及び送信先のアドレスを入力する操作を大幅に簡略化することができ、きわめて使い勝手を向上させることことが可能となる。
【００６８】
また、文字データの入力よりも、送信先のアドレスを指定する入力を先に行なった場合にも、そのままそのアドレスに対応する文字通信方式での文字データの入力に移行することができるため、文字通信方式を選択するための操作を簡略化することができる。
【００６９】
次に文字データを受信した場合の動作について説明する。
【００７０】
図５は、待受け状態から着呼を判断し、さらにその着呼が文字通信によるものであったと判断した場合に起動される処理内容を示すもので、その制御は主として制御部１７が行なう。
【００７１】
その当初には、文字データを受信し（ステップＢ０１）、その受信が成功であるか否か、すなわち上記図４で示したデータフォーマットでの実データＳ３の先頭部分に付加されている方式識別コードＳ３ａが自機の文字通信方式に対応しているか否かを判断する（ステップＢ０２）。
【００７２】
そして、受信が成功であったと判断した場合にのみ、送られてきた発信者番号によりＲＡＭ１９のアドレス帳メモリ１９ａから送信者のデータを検索する（ステップＢ０３）。
【００７３】
そして、検索した送信者の名前と受信した文字データとを併せて表示部２１で表示させた上で（ステップＢ０４）、受信した文字通信方式がアドレス帳メモリ１９ａを検索した送信者のデータに記憶設定されている文字通信方式と一致するか否かを確認する（ステップＢ０５）。
【００７４】
ここで、一致していないと判断した場合にのみ、送信者がそれまで登録していた文字通信方式以外の文字通信方式で文字データを送ってきたものとして、新たにアドレス帳メモリ１９ａの同送信者のデータに送ってきた文字データの文字通信方式を追加記憶させ（ステップＢ０６）、以上でこの処理を終了する。
【００７５】
このように、受信した文字情報の文字通信方式がその送信者のアドレスに対応して予め記憶されている文字通信方式と異なる際でも、受信が成功した場合には送信先が新たにその文字通信方式での通信が可能となったこととなるので、アドレス帳メモリ１９ａの内容を自動的に更新記憶させることで、次にその送信者に対してこちらから文字データを送信する時に、選択できる文字通信方式の幅を広げることができる。
【００７６】
次に、上記図３に代る文字通信機能により送信時の他の処理内容を図６に例示する。
【００７７】
同図においては、まず表示部２１にキーボードを表示させてタッチパネル２２での入力を順次受付けることにより文字データの入力を実行し、入力終了の指示がなされた時点で文字データの入力を停止する（ステップＣ０１）。
【００７８】
文字データの入力を終えると、次にその入力された文字データに漢字が混じっているか否か、あるいは全体で２１文字以上であるか否かを続けて判断することで（ステップＣ０２，Ｃ０３）、入力された文字データが文字通信方式Ａと文字通信方式Ｂのいずれに対応したものであるかを判別する。
【００７９】
入力された文字データに漢字が混じっておらず、且つ２０文字以内であると判断した場合には、入力された文字データは文字通信方式Ａに対応するものと判別し、この文字通信方式Ａに基づいた送信データを作成する（ステップＣ０４）。
【００８０】
また、入力された文字データに漢字が混じっているか、または２１文字以上であると判断した場合には、入力された文字データは文字通信方式Ｂに対応するものと判別し、この文字通信方式Ｂに基づいた送信データを作成する（ステップＣ０５）。このとき作成される文字データのデータフォーマットは上記図４に示したとおりである。
【００８１】
送信する文字データの作成を終えた時点で、次に上記ＲＡＭ１９のアドレス帳メモリ１９ａから文字通信方式に関係なく、記憶されているアドレスの名前を表示部２１に一覧表示する（ステップＣ０６）。
【００８２】
これに対してタッチパネル２２により一覧表示された名前の中から１つを選択指定するような操作がなされると（ステップＣ０７）、その指定された名前に対応するアドレスを用いて上記作成した文字データの送信を行なう（ステップＣ０８）。
【００８３】
その後、その送信が成功であったか否かを判断し（ステップＣ０９）、送信が成功であったと判断した場合にのみ、アドレス帳メモリ１９ａにおける送信先のデータとして記憶設定されている文字通信方式の情報を読出し（ステップＣ１０）、送信した文字通信方式がアドレス帳メモリ１９ａを検索した送信先のデータに記憶設定されている文字通信方式と一致するか否かを確認する（ステップＣ１１）。
【００８４】
ここで、一致していないと判断した場合にのみ、これまで登録していた文字通信方式以外の文字通信方式でも文字データを送ることができるものとして、新たにアドレス帳メモリ１９ａの同送信先のアドレスのデータに送信した文字データの文字通信方式を追加記憶させ（ステップＣ１２）、以上でこの処理を終了する。
【００８５】
このように、送信した文字情報の文字通信方式がその送信先のアドレスに対応して予め記憶されている文字通信方式と異なる際でも、送信が成功した場合には送信先が新たにその文字通信方式での通信が可能となったこととなるので、アドレス帳メモリ１９ａの内容を自動的に更新記憶させることで、次にまたその送信先に対してこちらから文字データを送信する時に、確実に送信できる文字通信方式を知ることができる。
【００８６】
なお、上記実施の形態はＰＨＳ端末機に適用した場合について例示したが、本発明はこれに限ることなく、使用することのできる文字種や文字数が異なる複数の方式で文字データを通信することが可能な携帯通信機器であれば、デジタル携帯電話、ページング受信機等であってもよく、また通信回線（通信路）もＰＨＳに限定せずに、ＰＳＴＮ（Ｐｕｂｌｉｃ  Ｓｗｉｔｃｈｅｄ  Ｔｅｌｅｐｈｏｎｅ  Ｎｅｔｗｏｒｋ）、ＩＳＤＮ、携帯電話網、ページャ通信網等に適用することができる。
【００８７】
その他、本発明はその要旨を逸脱しない範囲内で種々変形して実施することが可能であるものとする。
【００８８】
【発明の効果】
請求項１記載の発明によれば、入力した文字情報の文字数に対応する文字通信方式で送信を行なうことができるため、文字通信方式を選択するための操作を簡略化することができる。
【００８９】
請求項２記載の発明によれば、上記請求項１記載の発明の効果に加えて、判別した文字通信方式に対応するアドレスの中から任意のものを選択するだけで送信先の指定を行なうことができるので、文字情報の送信に要する操作をより簡略化することができる。
【００９０】
請求項３記載の発明によれば、上記請求項１記載の発明の効果に加えて、送信した文字情報の文字通信方式が記憶手段に記憶されていない際でも、その送信が成功した場合には送信先が新たにその文字通信方式での通信が可能となったこととなるので、記憶手段の内容を自動的に更新記憶させることで、次の通信時に選択する文字通信方式の幅を広げることができる。
【００９３】
請求項４記載の発明によれば、受信した文字情報の文字通信方式がその送信者のアドレスに対応して記憶されている文字通信方式と異なる際でも、受信が成功した場合には送信者が新たにその文字通信方式での通信が可能となったこととなるので、記憶手段の内容を自動的に更新記憶させることで、次にその送信者へ文字情報を送信する時に選択できる文字通信方式の幅を広げることができる。
【００９７】
請求項５記載の発明によれば、入力した文字情報の文字数に対応する文字通信方式で送信を行なわせることができるため、文字通信方式を選択するための操作を簡略化することができる。
【００９９】
請求項６記載の発明によれば、受信した文字情報の文字通信方式がその送信者のアドレスに対応して記憶されている文字通信方式と異なる際でも、受信が成功した場合には送信者が新たにその文字通信方式での通信が可能となったこととなるので、記憶手段の内容を自動的に更新記憶させることで、次にその送信者へ文字情報を送信する時に選択できる文字通信方式の幅を広げることができる。
【図面の簡単な説明】
【図１】本発明の実施の一形態に係る回路構成を示すブロック図。
【図２】図１のＲＡＭ内に設けられるアドレス帳メモリの記憶内容を例示する図。
【図３】同実施の形態に係る送信時の処理内容を示すフローチャート。
【図４】同実施の形態に係る通信データのフォーマット構成を示す図。
【図５】同実施の形態に係る受信時の処理内容を示すフローチャート。
【図６】同実施の形態に係る送信時の他の処理内容を示すフローチャート。
【符号の説明】
１１…アンテナ
１２…送受信部
１３…通信制御部
１４…音声処理部
１５…スピーカ
１６…マイクロフォン
１７…制御部
１８…記憶装置
１８ａ…記憶媒体
１９…ＲＡＭ
１９ａ…アドレス帳メモリ
２０…キー入力部
２１…表示部
２２…タッチパネル
【図１】
0003900710.tif 000002
【図２】
0003900710.tif 000003
【図３】
0003900710.tif 000004
【図４】
0003900710.tif 000005
【図５】
0003900710.tif 000006
【図６】
0003900710.tif 000007